(57)【要約】【課題】コンサートやライブなどでの音楽情報を高い再現性で再生して臨場感を向上させることができる音響再生システムおよび音響再生方法を提供する。【解決手段】音響再生システム１００は、原音記録媒体１０１ａに記録された左側原音信号および右側原音信号をそれぞれ再生する音源再生装置１０１を備えている。音源再生装置１０１で再生された左側原音信号および右側原音信号は、プリアンプ１０２によって左側原音信号と右側原音信号との間で各信号の一部を相互に僅かに加えた弱クロストーク可聴再生音および弱クロストーク非可聴再生音としてそれぞれ再生出力される。また、音源再生装置１０１で再生された左側原音信号および右側原音信号は、プリアンプ１２０によって左側原音信号と右側原音信号との間で各信号の一部を相互に加えた強クロストーク可聴再生音および強クロストーク非可聴再生音としてそれぞれ再生出力される。【選択図】  図１
2019193029.tif 000002
【特許請求の範囲】
【請求項１】
人が耳で聴くことができる可聴音以上の周波数で人が耳で聴くことができない非可聴音を表す非可聴音信号と人が耳で聴くことができる可聴音を含んで人の左右の耳に対応した２チャンネルで表した左側原音信号および右側原音信号とをそれぞれ出力する音源再生装置と、
前記左側原音信号および前記右側原音信号をそれぞれ入力して互いに信号の一部を加え合う際に、加える側の信号量を加えられる側の信号量に対して電圧比で３０分の１以下の量で加えて左側弱クロストーク音信号および右側弱クロストーク音信号をそれぞれ生成して出力する弱クロストーク部と、
前記左側原音信号および前記右側原音信号をそれぞれ入力して互いに信号の一部を加え合う際に、加える側の信号量を加えられる側の信号量に対して電圧比で３０分の１を超える量で加えて左側強クロストーク音信号および右側強クロストーク音信号をそれぞれ生成して出力する強クロストーク部と、
前記左側弱クロストーク音信号、前記右側弱クロストーク音信号、前記左側強クロストーク音信号、前記右側強クロストーク音信号および前記非可聴音信号をそれぞれ増幅するアンプと、
前記アンプによって増幅された前記左側弱クロストーク音信号、前記右側弱クロストーク音信号、前記左側強クロストーク音信号、前記右側強クロストーク音信号および前記非可聴音信号をそれぞれ音波としてそれぞれ独立して出力するスピーカとを備えることを特徴とする音響再生システム。
【請求項２】
請求項１に記載した音響再生システムにおいて、さらに、
前記左側原音信号および前記右側原音信号を入力して、前記可聴音を高音および中低音、または高音、中音および低音をそれぞれ抽出するバンドパスフィルタを備え、
前記スピーカは、
前記高音および前記中低音、または前記高音、前記中音および前記低音ごとの前記各左側原音信号および前記各右側原音信号ごとに有するとともに、これらのスピーカ間において相対的に低音側のスピーカが高音側のスピーカよりも聴者に近い側に配置されていることを特徴とする音響再生システム。
【請求項３】
請求項１または請求項２に記載した音響再生システムにおいて、
前記スピーカは、
前記左側弱クロストーク音信号、前記右側弱クロストーク音信号、前記左側強クロストーク音信号および前記右側強クロストーク音信号ごとにそれぞれ設けられ、
前記左側強クロストーク音信号および前記右側強クロストーク音信号をそれぞれ出力するスピーカが前記左側弱クロストーク音信号および前記右側弱クロストーク音信号をそれぞれ出力するスピーカよりも聴者に近い側に配置されていることを特徴とする音響再生システム。
【請求項４】
請求項１ないし請求項３のうちのいずれか１つに記載した音響再生システムにおいて、
前記スピーカは、
電気信号を音波に変換するスピーカ本体と、
前記スピーカ本体における前記音波を発する側とは反対側を覆った状態で前記スピーカ本体を支持する箱型のエンクロージャーとを備えており、
前記エンクロージャーは、
左右の側面の各内側面が前記スピーカ本体側から後方に向かって互いに平行に延びる平行部と、
前記平行部の後端部から前記後方に向かって互いに接近するように内側に傾斜する傾斜部とで構成されていることを特徴とする音響再生システム。
【請求項５】
請求項４に記載した音響再生システムにおいて、
前記スピーカは、
前記エンクロージャーにおける前記傾斜部が円弧状の曲面で構成されていることを特徴とする音響再生システム。
【請求項６】
人が耳で聴くことができる可聴音以上の周波数で人が耳で聴くことができない非可聴音を表す非可聴音信号と人が耳で聴くことができる可聴音を含んで人の左右の耳に対応した２チャンネルで表した左側原音信号および右側原音信号とをそれぞれ出力する音源再生ステップと、
前記左側原音信号および前記右側原音信号をそれぞれ入力して互いに信号の一部を加え合う際に、加える側の信号量を加えられる側の信号量に対して電圧比で３０分の１以下の量で加えて左側弱クロストーク音信号および右側弱クロストーク音信号をそれぞれ生成して出力する弱クロストークステップと、
前記左側原音信号および前記右側原音信号をそれぞれ入力して互いに信号の一部を加え合う際に、加える側の信号量を加えられる側の信号量に対して電圧比で３０分の１を超える量で加えて左側強クロストーク音信号および右側強クロストーク音信号をそれぞれ生成して出力する強クロストークステップと、
前記左側弱クロストーク音信号、前記右側弱クロストーク音信号、前記左側強クロストーク音信号、前記右側強クロストーク音信号および前記非可聴音信号をそれぞれ増幅する増幅ステップと、
前記増幅ステップによって増幅された前記左側弱クロストーク音信号、前記右側弱クロストーク音信号、前記左側強クロストーク音信号、前記右側強クロストーク音信号および前記非可聴音信号をそれぞれ音波としてそれぞれ独立したスピーカから出力する音波出力ステップとを含むことを特徴とする音響再生方法。
【発明の詳細な説明】
【技術分野】
【０００１】
本発明は、コンサート会場やライブ会場などでの歌唱や演奏などの音楽情報を高精度に再生できる音響再生システムおよび音響再生方法に関するものである。
【背景技術】
【０００２】
従来から、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの記録媒体に収録したコンサートやライブなどの音楽情報を高い臨場感で再生する音響再生システムが提案されている。例えば、下記特許文献１には、人の両耳に対応する左右２チャンネルの原音の音楽信号の各一部を相互に加え合ったクロストーク音を前記原音および人間の耳では聞くことができない非可聴音（２０ｋＨｚ以上）とともに聴者に出力する音響再生システムが開示されている。
【先行技術文献】
【特許文献】
【０００３】
【特許文献１】特開２０１５−１９８４２２号公報
【０００４】
しかしながら、上記各特許文献１に記載したようなこの種の音響再生システムにおいては、音楽情報の高い再現性や臨場感の向上が常に求められている。
【発明の概要】
【０００５】
本発明は上記問題に対処するためなされたもので、その目的は、コンサートやライブなどでの音楽情報を高い再現性で再生して臨場感を向上させることができる音響再生システムおよび音響再生方法を提供することにある。
【０００６】
上記目的を達成するため、本発明の特徴は、人が耳で聴くことができる可聴音以上の周波数で人が耳で聴くことができない非可聴音を表す非可聴音信号と人が耳で聴くことができる可聴音を含んで人の左右の耳に対応した２チャンネルで表した左側原音信号および右側原音信号とをそれぞれ出力する音源再生装置と、左側原音信号および右側原音信号をそれぞれ入力して互いに信号の一部を加え合う際に、加える側の信号量を加えられる側の信号量に対して電圧比で３０分の１以下の量で加えて左側弱クロストーク音信号および右側弱クロストーク音信号をそれぞれ生成して出力する弱クロストーク部と、左側原音信号および右側原音信号をそれぞれ入力して互いに信号の一部を加え合う際に、加える側の信号量を加えられる側の信号量に対して電圧比で３０分の１を超える量で加えて左側強クロストーク音信号および右側強クロストーク音信号をそれぞれ生成して出力する強クロストーク部と、左側弱クロストーク音信号、右側弱クロストーク音信号、左側強クロストーク音信号、右側強クロストーク音信号および非可聴音信号をそれぞれ増幅するアンプと、アンプによって増幅された左側弱クロストーク音信号、右側弱クロストーク音信号、左側強クロストーク音信号、右側強クロストーク音信号および非可聴音信号をそれぞれ音波としてそれぞれ独立して出力するスピーカとを備えることにある。
【０００７】
この場合、音源再生装置は、コンサートやライブなどでの原音における可聴音を２チャンネルで記録するとともに非可聴音を少なくとも１チャンネルで記録した原音記録媒体（例えば、ＣＤ、ＳＡＣＤ、ＤＶＤ、半導体メモリなど）を再生する再生装置で構成できるとともに、コンサート会場やライブ会場などでの原音における可聴音を２チャンネルで記録するとともに非可聴音を少なくとも１チャンネルで集音するマイクなどの集音装置で構成することができる。
【０００８】
このように構成した本発明の特徴によれば、音響再生システムは、聴者に対して２チャンネルの原音間で可聴音を少量クロストークさせた各弱クロストーク可聴再生音、同２チャンネルの原音間で可聴音を弱クロストーク再生音よりも多くクロストークさせた各強クロストーク可聴再生音および非可聴の非可聴再生音の３種類の音波をそれぞれスピーカを介して出力する。これにより、本発明者らの実験によれば、聴者に対して従来の音響再生システムに比べてコンサートやライブなどでの音楽情報を高い再現性で再生して臨場感を向上させることができることを確認した。この理由については、正確な原因は不明であるが、聴者が感じる弱クロストーク可聴再生音、強クロストーク可聴再生音および非可聴再生音の音波の種類（換言すれば、周波数成分）が実際のコンサート会場やライブ会場で聴者が直接的および間接的に音源から耳や身体に受ける音波の種類に近似しているためと考えられる。特に、オーケストラ演奏におけるトライアングルの音色のような小さい音を他の楽器の音にかき消されることなく明瞭に聞くことができることを確認した。
【０００９】
また、本発明の他の特徴は、前記音響再生システムにおいて、さらに、左側原音信号および右側原音信号を入力して、可聴音を高音および中低音、または高音、中音および低音をそれぞれ抽出するバンドパスフィルタを備え、スピーカは、高音および中低音、または高音、中音および低音ごとの各左側原音信号および各右側原音信号ごとに有するとともに、これらのスピーカ間において相対的に低音側のスピーカが高音側のスピーカよりも聴者に近い側に配置されていることにある。
【００１０】
これらの場合、高音および中低音の周波数の関係、または高音、中音および低音の周波数の関係は、可聴音（２０Ｈｚ〜２０ｋＨｚ）の範囲内においてアクティブフィルタ、ネットワークまたはスピーカの各仕様や性能に応じて互いに相対的に設定されるものであり、ある特定の周波数または周波数帯域にのみ限定されるものではない。また、バンドパスフィルタは、左側原音信号および右側原音信号を直接入力するほかに、左右の弱クロストーク音信号および左右の強クロストーク音信号のように左側原音信号および右側原音信号を加工した信号を含むものである。
【００１１】
このように構成した本発明の他の特徴によれば、音響再生システムは、左右の弱クロストーク音信号によって表される左右の弱クロストーク再生音および左右の強クロストーク音信号によって表される左右の強クロストーク再生音のうちの少なくとも一方の再生音を高音および中低音、または高音、中音および低音に分けて出力するスピーカを備えているため、コンサートやライブなどでの音楽情報をより高い再現性で再生して臨場感をより向上させることができる。また、本発明によれば、これらのスピーカ間において相対的に低音側のスピーカを高音側のスピーカよりも聴者に近い位置に配置することで、本発明者らの官能実験によれば、低音側のスピーカと高音側のスピーカとを聴者に対して同じ距離の位置に配置した場合に比べてより臨場感のある音を再現できる。
【００１２】
また、本発明の他の特徴は、前記音響再生システムにおいて、スピーカは、左側弱クロストーク音信号、右側弱クロストーク音信号、左側強クロストーク音信号および右側強クロストーク音信号ごとにそれぞれ設けられ、左側強クロストーク音信号および右側強クロストーク音信号をそれぞれ出力するスピーカが左側弱クロストーク音信号および右側弱クロストーク音信号をそれぞれ出力するスピーカよりも聴者に近い側に配置されていることにある。
【００１３】
このように構成した本発明の他の特徴によれば、音響再生システムは、左側強クロストーク音信号および右側強クロストーク音信号をそれぞれ出力するスピーカを左側弱クロストーク音信号および右側弱クロストーク音信号をそれぞれ出力するスピーカよりも聴者に近い側に配置することで、本発明者らの官能実験によれば、左右の弱クロストーク音信号を出力するスピーカと左右の強クロストーク音信号を出力するスピーカとを同じ聴者に対して同じ高さ位置に配置した場合に比べてより臨場感のある音を再現できる。
【００１４】
また、本発明の他の特徴は、前記音響再生システムにおいて、スピーカは、電気信号を音波に変換するスピーカ本体と、スピーカ本体における音波を発する側とは反対側を覆った状態でスピーカ本体を支持する箱型のエンクロージャーとを備えており、エンクロージャーは、左右の側面の各内側面がスピーカ本体側から後方に向かって互いに平行に延びる平行部と、平行部の後端部から後方に向かって互いに接近するように内側に傾斜する傾斜部とで構成されていることにある。
【００１５】
このように構成した本発明の他の特徴によれば、音響再生システムは、電気信号を音波に変換するスピーカ本体を支持する箱型のエンクロージャーにおける左右の側面の各内側面がスピーカ側から後方に向かって互いに平行に延びる平行部と、この平行部の後端部から前記後方に向かって互いに接近するように内側に傾斜する傾斜部とで構成することで、本発明者らの官能実験によれば、エンクロージャーの両側面を単に平行部または傾斜部のみで構成した場合に比べて残響音を発生させることができる。
【００１６】
また、本発明の他の特徴は、前記音響再生システムにおいて、スピーカは、エンクロージャーにおける傾斜部が円弧状の曲面で構成されていることにある。
【００１７】
このように構成した本発明の他の特徴によれば、音響再生システムは、スピーカは、エンクロージャーにおける前記傾斜部が円弧状の曲面で構成されているため、本発明者らの官能実験によれば、エンクロージャーにおける傾斜部を直線状に延びる平面で構成した場合に比べてより豊かな残響音を発生させることができる。
【００１８】
また、本発明は音響再生システムの発明として実施できるばかりでなく、音響再生方法の発明としても実施できるものである。
【００１９】
具体的には、音響再生方法は、人が耳で聴くことができる可聴音以上の周波数で人が耳で聴くことができない非可聴音を表す非可聴音信号と人が耳で聴くことができる可聴音を含んで人の左右の耳に対応した２チャンネルで表した左側原音信号および右側原音信号とをそれぞれ出力する音源再生ステップと、左側原音信号および右側原音信号をそれぞれ入力して互いに信号の一部を加え合う際に、加える側の信号量を加えられる側の信号量に対して電圧比で３０分の１以下の量で加えて左側弱クロストーク音信号および右側弱クロストーク音信号をそれぞれ生成して出力する弱クロストークステップと、左側原音信号および右側原音信号をそれぞれ入力して互いに信号の一部を加え合う際に、加える側の信号量を加えられる側の信号量に対して電圧比で３０分の１を超える量で加えて左側強クロストーク音信号および右側強クロストーク音信号をそれぞれ生成して出力する強クロストークステップと、左側弱クロストーク音信号、右側弱クロストーク音信号、左側強クロストーク音信号、右側強クロストーク音信号および非可聴音信号をそれぞれ増幅する増幅ステップと、増幅ステップによって増幅された左側弱クロストーク音信号、右側弱クロストーク音信号、左側強クロストーク音信号、右側強クロストーク音信号および非可聴音信号をそれぞれ音波としてそれぞれ独立したスピーカから出力する音波出力ステップとを含むことにある。これによれば、上記音響再生システムと同様な作用効果を期待できる。
【００２０】
なお、この場合、音源再生ステップは、コンサートやライブなどの原音からなる音楽情報を２チャンネルで記録した原音記録媒体（例えば、ＣＤ、ＳＡＣＤ、ＤＶＤ、半導体メモリなど）を再生する再生装置を用いて実現できるとともに、コンサート会場やライブ会場などでの音楽情報を２チャンネルで集音するマイクなどの集音装置を用いて実現することもできる。
【図面の簡単な説明】
【００２１】
【図１】本発明の第１実施形態に係る音響再生システムのシステム構成を概略的に示す模式図である。
【図２】図１に示す音響再生システムに用いられるエンクロージャー型のスピーカの外観構成の概略を模式的に示す斜視図である。
【図３】図２に示すスピーカの内部構成の概略を模式的に示す断面図である。
【図４】本発明の第２実施形態に係る音響再生システムのシステム構成を概略的に示す模式図である。
【図５】図４に示す音響再生システムに用いられるエンクロージャー型のスピーカの配置構成を模式的に示す側面図である。
【図６】図４に示す音響再生システムに用いられるエンクロージャー型のスピーカの配置構成を模式的に示す平面図である。
【発明を実施するための形態】
【００２２】
＜第１実施形態＞
以下、本発明に係る音響再生システムの一実施形態について図面を参照しながら説明する。図１は、本発明の第１実施形態に係る音響再生システム１００のシステム構成の概略を示す模式図である。この音響再生システム１００は、コンサートやライブでの音声や演奏からなる音楽情報（換言すれば、音波情報）を記録した原音記録媒体１０１ａを主として室内で再生する装置群である。
【００２３】
（音響再生システム１００の構成）
音響再生システム１００は、音源再生装置１０１を備えている。音源再生装置１０１は、コンサートやライブの音波情報を記録した原音記録媒体１０１ａから音波情報を電気信号で読み出して出力する機器である。この場合、原音記録媒体１０１ａは、コンサートやライブの音楽情報、具体的には、人の耳で聞くことができる可聴音（２０Ｈｚ〜２０ｋＨｚ）および人間の耳では聞くことができない非可聴音（２０ｋＨｚ以上）を人の左右の耳に対応した２チャンネルでそれぞれ記録したものである。この原音記録媒体１０１ａとしては、例えば、ＳＡＣＤ（Super Audio Compact Disc：スーパーオーディオコンパクトディスク）、磁気テープまたは半導体メモリなどで構成することができる。本実施形態においては、原音記録媒体１０１ａは、ＳＡＣＤで構成されている。
【００２４】
すなわち、本実施形態においては、音源再生装置１０１は、ＳＡＣＤ上に記録されているデジタル音波データをスピーカで再生可能なアナログの電気信号に変換して出力する所謂ＳＡＣＤプレーヤで構成されている。この音源再生装置１０１は、ＳＡＣＤからなる原音記録媒体１０１ａに記録された２チャンネルの音楽情報をそれぞれ電気信号で表した左側原音信号および右側原音信号をそれぞれ出力する。この場合、左側原音信号および右側原音信号には、可聴音を表す信号のほかに非可聴音を表す信号、すなわち、左側非可聴音信号および右側非可聴音信号がそれぞれ含まれている。この音源再生装置１０１には、プリアンプ１０２およびプリアンプ１２０がそれぞれ接続されている。
【００２５】
プリアンプ１０２は、音源再生装置１０１から出力された左側原音信号および右側原音信号をそれぞれ入力してそれぞれ電圧増幅するとともに、左側原音信号と右側原音信号との間で相互に互いの信号の一部を加えた左側弱クロストーク音信号および右側弱クロストーク音信号をそれぞれ出力する増幅装置である。より具体的には、プリアンプ１０２は、左側原音信号および右側原音信号ごとに各電圧を増幅する図示しない２つの増幅回路をそれぞれ備えるとともに、これらの増幅回路によってそれぞれ増幅された左側原音信号および右側原音信号を用いて左側弱クロストーク音信号および右側弱クロストーク音信号をそれぞれ生成する２つのクロストーク部Ｌ１０２ａおよびクロストーク部Ｒ１０２ｂをそれぞれ備えている。
【００２６】
クロストーク部Ｌ１０２ａは、左側原音信号に右側原音信号の一部を加えて左側弱クロストーク信号を生成するための電気回路であり、図示しない減衰器および加算器をそれぞれ備えて構成されている。また、クロストーク部Ｒ１０２ｂは、右側原音信号に左側原音信号の一部を加えて右側弱クロストーク信号を生成するための電気回路であり、図示しない減衰器および加算器をそれぞれ備えて構成されている。この場合、左側原音信号および右側原音信号における各一部とは、各信号に含まれる周波成分の一部ではなく（つまり、質的なものではない）、各信号全体に対する一部である（つまり、量的なもの）。したがって、左側クロストーク信号および右側クロストーク信号は、可聴音を表す信号のほかに非可聴音を表す信号、すなわち、左側弱クロストーク非可聴音信号および右側弱クロストーク非可聴音信号が含まれて構成されている。
【００２７】
これらのクロストーク部Ｌ１０２ａおよびクロストーク部Ｒ１０２ｂをそれぞれ構成する２つの各減衰器は、左側原音信号および右側原音信号からそれぞれ抽出した左側原音信号および右側原音信号の各一部を所定の減衰率で減衰する電気回路である。本実施形態においては、各減衰器は、左側原音信号および右側原音信号の各一部を電圧比で３０分の１まで減衰する。また、クロストーク部Ｌ１０２ａおよびクロストーク部Ｒ１０２ｂをそれぞれ構成する２つの各加算器は、これら２つの減衰器によってそれぞれ減衰された左側原音信号および右側原音信号の各一部を右側原音信号および左側原音信号にそれぞれ加算して左側弱クロストーク音信号および右側弱クロストーク音信号を生成する電気回路である。
【００２８】
すなわち、左側弱クロストーク音信号は、その大部分が左側原音信号で構成されており、右側弱クロストーク音信号は、その部分が右側原音信号で構成されている。したがって、プリアンプ１０２は、クロストーク部Ｌ１０２ａおよびクロストーク部Ｒ１０２ｂをそれぞれ省略するとともに、左側原音信号を増幅するための電気回路と右側原音信号を増幅する電気回路とが互いに電気的および磁気的に干渉するように構成して左側弱クロストーク音信号および右側弱クロストーク音信号を生成することもできる。例えば、プリアンプ１０２は、左側原音信号を増幅するための電気回路と右側原音信号を増幅する電気回路とが互いに電気的および磁気的に干渉することを防止するシールドのシールド能力を低下させて構成することができる。このプリアンプ１０２には、アクティブフィルタアンプ１０３およびパワーアンプ１１０がそれぞれ接続されている。
【００２９】
アクティブフィルタアンプ１０３は、プリアンプ１０２からそれぞれ出力された左側弱クロストーク音信号および右側弱クロストーク音信号を複数の周波数帯域ごとに抽出して出力するフィルタ回路であり、本発明に係るバンドパスフィルタに相当する。このアクティブフィルタアンプ１０３は、主として、抵抗素子、キャパシタ素子および増幅素子を備えて構成されている。本実施形態においては、アクティブフィルタアンプ１０３は、左側弱クロストーク音信号および右側弱クロストーク音信号をそれぞれ高音（８４００Ｈｚ〜３５ｋＨｚ）、中音（４２０Ｈｚ〜８４００Ｈｚ）および低音（４２０Ｈｚ未満）の各周波数帯域ごとに出力する。このアクティブフィルタアンプ１０３には、各周波数帯域ごとにパワーアンプ１０４ａ〜１０４ｃがそれぞれ接続されている。
【００３０】
パワーアンプ１０４ａ〜１０４ｃは、アクティブフィルタアンプ１０３から各周波数帯域ごとにそれぞれ出力された左側弱クロストーク音信号および右側弱クロストーク音信号の電力をそれぞれ増幅して出力する増幅装置である。これらのパワーアンプ１０４ａ〜１０４ｃには、各周波数帯域に応じたスピーカ１０５Ｌ，１０５Ｒ、１０６Ｌ，１０６Ｒ、１０７Ｌ，１０７Ｒがそれぞれ接続されている。
【００３１】
スピーカ１０５Ｌ，１０５Ｒ、１０６Ｌ，１０６Ｒ、１０７Ｌ，１０７Ｒは、パワーアンプ１０４ａ〜１０４ｃからそれぞれ出力された各周波数帯域ごとの左側弱クロストーク音信号および右側弱クロストーク音信号をそれぞれ入力してこれらの左側弱クロストーク音信号および右側弱クロストーク音信号にそれぞれ対応した音波に変換して出力する装置である。これらの各スピーカ１０５Ｌ，１０５Ｒ、１０６Ｌ，１０６Ｒ、１０７Ｌ，１０７Ｒは、２チャンネルに対応した左側のスピーカ１０５Ｌ，１０６Ｌ、１０７Ｌおよび右側のスピーカ１０５Ｒ、１０６Ｒ、１０７Ｒがそれぞれ聴者Ｕの前方の左側および右側にそれぞれ対向配置されている。
【００３２】
ここで、スピーカ１０５Ｌ，１０５Ｒは、パワーアンプ１０４ａから出力された高音帯域の左側弱クロストーク音信号および右側弱クロストーク音信号をそれぞれ入力して高音帯域（８４００Ｈｚ〜３５ｋＨｚ）の音波に変換する所謂ツィータである。また、スピーカ１０６Ｌ，１０６Ｒは、パワーアンプ１０４ｂから出力された中音帯域（４２０Ｈｚ〜８４００Ｈｚ）の左側弱クロストーク音信号および右側弱クロストーク音信号をそれぞれ入力して中音帯域の音波に変換する所謂スコーカである。スピーカ１０７Ｌ，１０７Ｒは、パワーアンプ１０４ｃから出力された低音帯域の左側弱クロストーク音信号および右側弱クロストーク音信号をそれぞれ入力して低音帯域（４２０Ｈｚ未満）の音波に変換する所謂ウーハである。
【００３３】
また、スピーカ１０６Ｌとスピーカ１０７Ｌ、およびスピーカ１０６Ｒとスピーカ１０７Ｒは、それぞれ一体的にエンクロージャー型に形成されている。具体的には、スピーカ１０６Ｌ，１０７Ｌおよびスピーカ１０６Ｒ，１０７Ｒは、図２および図３にそれぞれ示すように、コーン型スピーカであるスピーカ本体１０８ａ，１０８ｂとエンクロージャー１０９とで構成されている。
【００３４】
エンクロージャー１０９は、スピーカ本体１０８ａ，１０８ｂにおけるコーン側を外部に露出させた状態でコーン側とは反対側（ボイスコイル側）を覆った状態で収容して保持する部品であり、木材を箱型に形成して構成されている。この場合、エンクロージャー１０９は、スピーカ１０６Ｌ，１０６Ｒに対応するスピーカ本体１０８ａとスピーカ１０７Ｌ，１０６Ｒに対応するスピーカ本体１０８ｂとを上下方向に配置した状態でそれぞれ保持している。このエンクロージャー１０９は、上下方向に延びる左右の側面が平行部１０９ａと傾斜部１０９ｂとで構成されている。
【００３５】
平行部１０９ａは、エンクロージャー１０９における左右の側面の各内側面がスピーカ本体１０８ａ，１０８ｂ側から後方に向かって互いに平行に延びる部分である。この場合、各平行部１０９ａは、後端部がスピーカ本体１０８ａ，１０８ｂの後端部と略同じ位置まで延びて形成されている。傾斜部１０９ｂは、各平行部１０９ａの各後端部から前記後方に向かって互いに接近するように内側に傾斜しながら延びる部分である。この場合、各傾斜部１０９ｂは、直線状に延びる平面で構成されていてもよいが、円弧状に延びる曲面で構成されているとよい。
【００３６】
また、エンクロージャー１０９には、スピーカ本体１０８ａとスピーカ本体１０８ｂとの間に補強板１０９ｃが設けられている。補強板１０９ｃは、エンクロージャー１０９の箱型を維持するための板状の部品であり、エンクロージャー１０９における上下方向の中央部分に設けられている。この場合、補強板１０９ｃは、エンクロージャー１０９の内部における上側空間と下側空間とが互いに連通するように貫通孔を有して構成されている。なお、補強板１０９ｃは、前記貫通孔を省略して構成することでエンクロージャー１０９における上側空間と下側空間とを仕切ることもできる。
【００３７】
パワーアンプ１１０は、プリアンプ１０２からそれぞれ出力された左側弱クロストーク音信号および右側弱クロストーク音信号の各電力をそれぞれ増幅して出力する増幅装置である。このパワーアンプ１１０には、ハイパスフィルタ１１１が接続されている。ハイパスフィルタ１１１は、パワーアンプ１１０からそれぞれ出力された左側弱クロストーク音信号および右側弱クロストーク音信号のうちの非可聴音帯域（３５ｋＨｚ以上）の信号、すなわち、左側弱クロストーク非可聴音信号および右側弱クロストーク非可聴音信号をそれぞれ抽出して出力するフィルタ回路であり、主として、抵抗素子、キャパシタ素子および増幅素子を備えて構成されている。このハイパスフィルタ１１１には、スピーカ１１２Ｌ，１１２Ｒがそれぞれ接続されている。
【００３８】
スピーカ１１２Ｌ，１１２Ｒは、ハイパスフィルタ１１１からそれぞれ出力された左側弱クロストーク非可聴音信号および右側弱クロストーク非可聴音信号をそれぞれ入力してこれらの左側弱クロストーク非可聴音信号および右側弱クロストーク非可聴音信号にそれぞれ対応した音波に変換して出力する装置である。すなわち、スピーカ１１２Ｌ，１１２Ｒは、非可聴音帯域（３５ｋＨｚ以上）の音波を出力する所謂スーパーツィータである。これらのスピーカ１１２Ｌ，１１２Ｒは、２チャンネルに対応した左側のスピーカ１１２Ｌおよび右側のスピーカ１１２Ｒがそれぞれ聴者Ｕの前方の左側および右側にそれぞれ対向配置されている。
【００３９】
プリアンプ１２０は、音源再生装置１０１から出力された左側原音信号および右側原音信号をそれぞれ入力してそれぞれ電圧増幅するとともに、左側原音信号と右側原音信号との間で相互に互いの信号の一部を加えた左側強クロストーク音信号および右側強クロストーク音信号をそれぞれ出力する増幅装置である。より具体的には、プリアンプ１２０は、左側原音信号および右側原音信号ごとに各電圧を増幅する図示しない２つの増幅回路をそれぞれ備えるとともに、これらの増幅回路によってそれぞれ増幅された左側原音信号および右側原音信号を用いて左側強クロストーク音信号および右側強クロストーク音信号をそれぞれ生成する２つのクロストーク部Ｌ１２１およびクロストーク部Ｒ１２２をそれぞれ備えている。この場合、クロストーク部Ｌ１２１およびクロストーク部Ｒ１２２は、クロストーク量をそれぞれ調節するためのクロストーク調節器１２１ａ，１２２ａをそれぞれ備えている。
【００４０】
クロストーク部Ｌ１２１は、左側原音信号に右側原音信号の一部を加えて左側強クロストーク信号を生成するための電気回路であり、図示しない減衰器および加算器をそれぞれ備えて構成されている。また、クロストーク部Ｒ１２２は、右側原音信号に左側原音信号の一部を加えて右側強クロストーク信号を生成するための電気回路であり、図示しない減衰器および加算器をそれぞれ備えて構成されている。
【００４１】
この場合、左側原音信号および右側原音信号における各一部とは、各信号に含まれる周波成分の一部ではなく（つまり、質的なものではない）、各信号全体に対する一部である（つまり、量的なもの）。したがって、左側強クロストーク信号および右側強クロストーク信号は、可聴音を表す信号のほかに非可聴音を表す信号、すなわち、左側強クロストーク非可聴音信号および右側強クロストーク非可聴音信号が含まれて構成されている。
【００４２】
これらのクロストーク部Ｌ１２１およびクロストーク部Ｒ１２２をそれぞれ構成する２つの各減衰器は、左側原音信号および右側原音信号からそれぞれ抽出した左側原音信号および右側原音信号の各一部を前記各クロストーク調節器１２１ａ，１２２ａによってそれぞれ指示された減衰率で減衰する電気回路である。また、クロストーク部Ｌ１２１およびクロストーク部Ｒ１２２をそれぞれ構成する２つの各加算器は、これら２つの減衰器によってそれぞれ減衰された左側原音信号および右側原音信号の各一部を右側原音信号および左側原音信号にそれぞれ加算して左側クロストーク音信号および右側クロストーク音信号を生成する電気回路である。
【００４３】
また、各クロストーク部Ｌ１２１およびクロストーク部Ｒ１２２にそれぞれ設けられたクロストーク調節器１２１ａ，１２２ａは、クロストーク部Ｌ１２１およびクロストーク部Ｒ１２２における各減衰率を０％〜１００％の範囲で手動で調整してクロストーク量を設定することができる操作子である。この場合、クロストーク調節器１２１ａ，１２２ａは、クロストーク部Ｌ１０２ａおよびクロストーク部Ｒ１０２ｂの減衰率（出力電圧／入力電圧）３０分の１よりも大きな減衰率に設定される。また、プリアンプ１２０は、左側原音信号および右側原音信号の出力の大きさを手動で調節するための図示しないボリュームを備えている。そして、このプリアンプ１２０は、パワーアンプ１２３が接続されている。
【００４４】
パワーアンプ１２３は、プリアンプ１２０から出力された左側強クロストーク音信号および右側強クロストーク音信号の電力をそれぞれ増幅して出力する増幅装置である。このパワーアンプ１２３には、スピーカ１２４Ｌ，１２４Ｒ、１２５Ｌ，１２５Ｒ、１２６Ｌ，１２６Ｒ、１２７Ｌ，１２７Ｒがそれぞれ接続されている。
【００４５】
スピーカ１２４Ｌ，１２４Ｒ、１２５Ｌ，１２５Ｒ、１２６Ｌ，１２６Ｒ、１２７Ｌ，１２７Ｒは、パワーアンプ１２３から出力された左側強クロストーク音信号および右側強クロストーク音信号をそれぞれ入力してこれらの左側強クロストーク音信号および右側強クロストーク音信号にそれぞれ対応した音波に変換して出力する装置である。これらの各スピーカ１２４Ｌ，１２４Ｒ、１２５Ｌ，１２５Ｒ、１２６Ｌ，１２６Ｒ、１２７Ｌ，１２７Ｒは、コンデンサ、コイルおよび抵抗を組み合わせた電気回路からなるネットワーク１２８がそれぞれ設けられており、特定の周波数帯域の左側クロストーク音信号および右側クロストーク音信号のみを抽出して出力する。
【００４６】
具体的には、スピーカ１２４Ｌ，１２４Ｒは、ネットワーク１２８が左側強クロストーク音信号および右側強クロストーク音信号における高音帯域（１３ｋＨｚ〜３５ｋＨｚ）の信号をそれぞれ抽出して出力する所謂ツィータである。また、スピーカ１２５Ｌ，１２５Ｒは、ネットワーク１２８が左側強クロストーク音信号および右側強クロストーク音信号における中音帯域（２ｋＨｚ〜１３ｋＨｚ）の信号をそれぞれ抽出して出力する所謂スコーカである。また、スピーカ１２６Ｌ，１２６Ｒは、ネットワーク１２８が左側強クロストーク音信号および右側強クロストーク音信号における低音帯域（２ｋＨｚ未満）の信号をそれぞれ抽出して出力する所謂ウーハである。また、スピーカ１２７Ｌ，１２７Ｒは、ネットワーク１２８が左側強クロストーク音信号および右側強クロストーク音信号における非可聴音帯域（３５ｋＨｚ以上）の信号をそれぞれ抽出して出力する所謂スーパーツィータである。
【００４７】
これらの各スピーカ１２４Ｌ，１２４Ｒ、１２５Ｌ，１２５Ｒ、１２６Ｌ，１２６Ｒ、１２７Ｌ，１２７Ｒは、２チャンネルに対応した左側のスピーカ１２４Ｌ、１２５Ｌ、１２６Ｌ、１２７Ｌおよび右側の１２４Ｒ、１２５Ｒ、１２６Ｒ、１２７Ｒがそれぞれ聴者Ｕの前方の左側および右側にそれぞれ対向配置されている。本実施形態においては、各スピーカ１２４Ｌ，１２４Ｒ、１２５Ｌ，１２５Ｒ、１２６Ｌ，１２６Ｒ、１２７Ｌ，１２７Ｒは、スピーカ１０５Ｌ，１０５Ｒ、１０６Ｌ，１０６Ｒ、１０７Ｌ，１０７Ｒに対して聴者Ｕの左右方向外側にそれぞれ配置されている。
【００４８】
また、スピーカ１２５Ｌとスピーカ１２６Ｌ、およびスピーカ１２５Ｒとスピーカ１２６Ｒは、前記スピーカ１０６Ｌ，１０７Ｌおよびスピーカ１０６Ｒ，１０７Ｒと同様に、は、それぞれ一体的にエンクロージャー型に形成されている。すなわち、スピーカ１２５Ｌ，１２６Ｌおよびスピーカ１２５Ｒ，１２６Ｒは、スピーカ本体１０８ａ，１０８ｂおよびエンクロージャー１０９と同様のスピーカ本体（図示せず）およびエンクロージャー（図示せず）によって構成されている。
【００４９】
（音響再生システム１００の作動）
次に、上記のように構成した音響再生システム１００の作動について説明する。ここで、この音響再生システム１００は、室内または屋外に設置される。本実施形態においては、音響再生システム１００は、室内に設置されている。この音響再生システム１００を用いて音楽（歌唱や演奏）を聞く聴者Ｕは、まず、音響再生システム１００の電源をＯＮにした後、クロストーク調節器１２１ａ，１２２ａを操作することによってクロストーク部Ｌ１２１およびクロストーク部１２２における各減衰回路の減衰率、すなわち、クロストーク部Ｌ１２１およびクロストーク部１２２におけるクロストーク量をそれぞれ設定する。この場合、クロストーク量は、元となる左側原音信号および右側原音信号に対して電圧比で少なくとも３０分の１を超える量、好適には１０％以上かつ８０％以下、より好適には、３０％以上かつ６０％以下、さらに好適には４０％以上かつ５０％以下がよい。本実施形態においては、聴者Ｕは、左右の各クロストーク量の割合を表すクロストーク率を５０％にそれぞれ設定する。
【００５０】
次に、聴者Ｕは、音源再生装置１０１内に原音記録媒体１０１ａをセットして再生させるとともに、スピーカ１０５Ｌ，１０５Ｒ、１０６Ｌ，１０６Ｒ、１０７Ｌ，１０７Ｒ、１１２Ｌ，１１２Ｒ、１２４Ｌ，１２４Ｒ、１２５Ｌ，１２５Ｒ、１２６Ｌ，１２６Ｒ、１２７Ｌ，１２７Ｒの前方に位置して音楽の再生を待つ。これにより、音源再生装置１０１は、原音記録媒体１０１ａに記録された２チャンネルごとの可聴音および非可聴音に関する信号を読み出して左側原音信号および右側原音信号をそれぞれ出力する（本発明に係る音源再生ステップ）。
【００５１】
音源再生装置１０１から出力された左側原音信号および右側原音信号は、プリアンプ１０２およびプリアンプ１２０にそれぞれ出力される。プリアンプ１０２は、音源再生装置１０１から出力された左側原音信号および右側原音信号をそれぞれ電圧増幅した後（本発明に係る増幅ステップ）、クロストーク部Ｌ１０２ａおよびクロストーク部Ｒ１０２ｂによって右側原音信号の一部を左側原音信号に加えて左側弱クロストーク音信号を生成するとともに、左側原音信号の一部を右側原音信号に加えて右側弱クロストーク音信号を生成して各弱クロストーク音信号をアクティブフィルタアンプ１０３およびパワーアンプ１１０にそれぞれ出力する。この場合、右側原音信号の一部を左側原音信号に加える量、および左側原音信号の一部を右側原音信号に加える量は、加える側の信号量を加えられる側の信号量に対して電圧比で３０分の１以下の量で加える。
【００５２】
アクティブフィルタアンプ１０３は、左側弱クロストーク音信号および右側弱クロストーク音信号を各周波数帯域ごとに分割してパワーアンプ１０４ａ〜１０４ｃにそれぞれ出力する。パワーアンプ１０４ａ〜１０４ｃは、入力した左側弱クロストーク音信号および右側弱クロストーク音信号を電力増幅してスピーカ１０５Ｌ，１０５Ｒ、１０６Ｌ，１０６Ｒ、１０７Ｌ，１０７Ｒにそれぞれ出力する（本発明に係る増幅ステップ）。これにより、スピーカ１０５Ｌ，１０５Ｒ、１０６Ｌ，１０６Ｒ、１０７Ｌ，１０７Ｒは、原音記録媒体１０１ａに記録された左側原音信号および右側原音信号からそれぞれ抽出された各可聴音成分を相互に僅かにクロストークさせた弱クロストーク可聴再生音を高音、中音および低音の各周波数帯域ごとに聴者Ｕに向けてそれぞれ出力する（本発明に係る音波出力ステップ）。
【００５３】
また、パワーアンプ１１０は、左側弱クロストーク音信号および右側弱クロストーク音信号をそれぞれ電力増幅してハイパスフィルタ１１１にそれぞれ出力する（本発明に係る増幅ステップ）。ハイパスフィルタ１１１は、左側弱クロストーク音信号および右側弱クロストーク音信号から非可聴音帯域の信号である左側弱クロストーク非可聴音信号および右側弱クロストーク非可聴音信号のみをそれぞれ抽出してスピーカ１１２Ｌ，１１２Ｒにそれぞれ出力する。これにより、スピーカ１１２Ｌ，１１２Ｒは、原音記録媒体１０１ａに記録された左側原音信号および右側原音信号からそれぞれ抽出された各非可聴音成分を相互に僅かにクロストークさせた各弱クロストーク非可聴再生音を聴者Ｕに向けてそれぞれ出力する（本発明に係る音波出力ステップ）。
【００５４】
一方、プリアンプ１２０は、音源再生装置１０１から出力された左側原音信号および右側原音信号をそれぞれ電圧増幅した後（本発明に係る増幅ステップ）、クロストーク部Ｌ１２１およびクロストーク部Ｒ１２２によって右側原音信号の一部を左側原音信号に加えて左側強クロストーク音信号を生成するとともに、左側原音信号の一部を右側原音信号に加えて右側強クロストーク音信号を生成して各強クロストーク音信号をパワーアンプ１２３に出力する（本発明に係るクロストークステップ）。この場合、右側原音信号の一部を左側原音信号に加える量、および左側原音信号の一部を右側原音信号に加える量は、前記設定したクロストーク量に対応している。
【００５５】
パワーアンプ１２３は、入力した左側強クロストーク音信号および右側強クロストーク音信号を電力増幅してスピーカ１２４Ｌ，１２４Ｒ、１２５Ｌ，１２５Ｒ、１２６Ｌ，１２６Ｒ、１２７Ｌ，１２７Ｒにそれぞれ出力する（本発明に係る増幅ステップ）。これにより、スピーカ１２４Ｌ，１２４Ｒ、１２５Ｌ，１２５Ｒ、１２６Ｌ，１２６Ｒ、１２７Ｌ，１２７Ｒは、原音記録媒体１０１ａに記録された左側原音信号および右側原音信号からそれぞれ抽出された各可聴音成分を相互に前記弱クロストーク可聴再生音におけるクロストーク量よりも多くクロストークさせた強クロストーク可聴再生音を高音、中音および低音の各周波数帯域ごとに聴者Ｕに向けてそれぞれ出力する（本発明に係る音波出力ステップ）。
【００５６】
また、スピーカ１２７Ｌ，１２７Ｒは、原音記録媒体１０１ａに記録された左側原音信号および右側原音信号からそれぞれ抽出された各非可聴音成分を相互に前記弱クロストーク非可聴再生音におけるクロストーク量よりも多くクロストークさせた強クロストーク非可聴再生音を聴者Ｕに向けてそれぞれ出力する（本発明に係る音波出力ステップ）。
【００５７】
これにより、聴者Ｕは、クロストークを僅かに含んだ略原音に近い２チャンネルの弱クロストーク可聴再生音およびクロストークを僅かに含んだ略原音に近い弱クロストーク非可聴再生音とともにクロストークを明確に含む２チャンネルの強クロストーク可聴再生音およびクロストークを明確に含む２チャンネルの強クロストーク非可聴再生音をそれぞれ受けることになる。この場合、聴者Ｕは、プリアンプ１０２およびプリアンプ１２０にそれぞれ設けられた図示しないボリュームを調節することによって、原音に近い弱クロストーク可聴再生音および弱クロストーク非可聴再生音に対するクロストークを明確に含む強クロストーク可聴再生音および強クロストーク非可聴再生音の割合を調節することができる。本発明者らの実験によれば、原音に近い弱クロストーク可聴再生音および弱クロストーク非可聴再生音とクロストークを明確に含む強クロストーク可聴再生音および強クロストーク非可聴再生音との割合は、３対７から７対３の割合が好適である。
【００５８】
また、このように構成した音響再生システム１００による本発明者らの実験によれば、１０代から８０代の男女を略均等に含む１００人に対して音響再生システム１００による再生音を聴かせた場合と、単に２チャンネルの原音間でクロストークさせた再生音を聞かせた場合とでは８５％の人が音響再生システム１００による再生音に高い臨場感を覚えたという実験結果を得た。
【００５９】
上記作動説明からも理解できるように、上記第１実施形態によれば、音響再生システム１００は、聴者Ｕに対して略原音に近い２チャンネルの弱クロストーク可聴再生音、略原音に近い弱クロストーク非可聴再生音、クロストークを明確に含む２チャンネルの強クロストーク可聴再生音およびクロストークを明確に含む２チャンネルの強クロストーク非可聴再生音の４種類の音波をそれぞれスピーカを介して出力している。これにより、本発明者らの実験によれば、聴者に対して従来の音響再生システムに比べてコンサートやライブなどでの音楽情報を高い再現性で再生して臨場感を向上させることができることを確認した。この理由については、正確な原因は不明であるが、聴者が感じる弱クロストーク可聴再生音、強クロストーク可聴再生音、弱クロストーク非可聴再生音および強クロストーク非可聴再生音の音波の種類（換言すれば、周波数成分）が実際のコンサート会場やライブ会場で聴者が直接的および間接的に音源から耳や身体に受ける音波の種類に近似しているためと考えられる。特に、オーケストラ演奏におけるトライアングルの音色のような小さい音を他の楽器の音にかき消されることなく明瞭に聞くことができることを確認した。
【００６０】
＜第２実施形態＞
次に、本発明に係る音響再生システムの第２実施形態について図４〜図６を参照しながら説明する。この第２実施形態における音響再生システム２００は、上記第１実施形態に対して、主として、スピーカの構成が異なっている。したがって、この第２実施形態における音響再生システム２００の説明においては、上記第１実施形態における音響再生システム１００と異なる部分を中心に説明して、両実施形態において共通する部分や対応する部分については上記第１実施形態と同じ符号を付して適宜説明を省略する。
【００６１】
（音響再生システム２００の構成）
音源再生装置１０１は、原音記録媒体１０１ａから音波情報を電気信号で読み出して出力する機器である。この場合、原音記録媒体１０１ａは、上記第１実施形態のように、可聴音および非可聴音を人の左右の耳に対応した２チャンネルでそれぞれ記録したものでもよいが、本第２実施形態においては、非可聴音は左右間で同一の非可聴音を２チャンネルで記録したものを用いている。このため、クロストーク部Ｌ１０２ａおよびクロストーク部Ｒ１０２ｂがそれぞれ出力する左側弱クロストーク非可聴音信号と右側弱クロストーク非可聴音信号とは、互いに同一の信号となる。
【００６２】
アクティブフィルタアンプ１０３は、左側弱クロストーク音信号および右側弱クロストーク音信号をそれぞれ高音（３ｋＨｚ〜３５ｋＨｚ）および中低音（３ｋＨｚ以下）の各周波数帯域ごとに出力する。このアクティブフィルタアンプ１０３には、前記高音域および前記中低音域ごとに左側弱クロストーク音信号および右側弱クロストーク音信号をそれぞれ増幅するためのパワーアンプ１０４ａ，１０４ｂがそれぞれ接続されている。
【００６３】
また、パワーアンプ１０４ａ，１０４ｂには、前記高音域および前記中低音域ごとの左側弱クロストーク音信号および右側弱クロストーク音信号をそれぞれ音波に変換して出力するスピーカ２０１Ｌ，２０１Ｒ、２０２Ｌ，２０２Ｒが接続されている。この場合、スピーカ２０１Ｌとスピーカ２０２Ｌ，およびスピーカ２０１Ｒとスピーカ２０２Ｒは、コーンスピーカが箱型の筐体に保持された一体的なエンクロージャー型に形成されている。なお、スピーカ２０１Ｌ，２０１Ｒ、２０２Ｌ，２０２Ｒは、上記第１実施形態におけるスピーカ１０６Ｌとスピーカ１０７Ｌ、およびスピーカ１０６Ｒとスピーカ１０７Ｒと同様に平行部１０９ａおよび傾斜部１０９ｂを一体的に備えたエンクロージャー型に形成してもよいことは当然である。
【００６４】
一方、プリアンプ１２０には、パワーアンプ１２３を介してスピーカ２１１Ｌ，２１１Ｒ、２１２Ｌ，２１２Ｒ、２１３Ｌ，２１３Ｒがそれぞれ接続されている。スピーカ２１１Ｌ，２１１Ｒは、ネットワーク１２８が左側強クロストーク音信号および右側強クロストーク音信号における高音帯域（３ｋＨｚ〜３５ｋＨｚ）の信号をそれぞれ抽出して出力する所謂ツィータである。また、スピーカ２１２Ｌ，２１２Ｒは、ネットワーク１２８が左側強クロストーク音信号および右側強クロストーク音信号における中低音帯域（３ｋＨｚ以下）の信号をそれぞれ抽出して出力する所謂ウーハである。
【００６５】
また、スピーカ２１３Ｌ，２１３Ｒは、ネットワーク１２８が左側強クロストーク音信号および右側強クロストーク音信号における重低音帯域（１００Ｈｚ未満）の信号をそれぞれ抽出して出力する所謂サブウーハである。すなわち、音響再生システム２００においては、左側強クロストーク音信号および右側強クロストーク音信号における非可聴音帯域を出力するスーパーツィータであるスピーカ１２７Ｌ，１２７Ｒに相当するスピーカが省略されて構成されている。
【００６６】
そして、スピーカ２１１Ｌとスピーカ２１２Ｌ，およびスピーカ２１１Ｒとスピーカ２１２Ｒは、前記スピーカ２０１Ｌとスピーカ２０２Ｌ，およびスピーカ２０１Ｒとスピーカ２０２Ｒと同様に、一体的なエンクロージャー型に形成されている。また、スピーカ２１３Ｌおよびスピーカ２１３Ｒは、互いに水平方向に配置した状態で一体的に形成されたエンクロージャー型に形成されている。なお、これらのスピーカ２１１Ｌ，２１１Ｒ、２１２Ｌ，２１２Ｒ，２１３Ｌ，２１３Ｒについても、上記第１実施形態におけるスピーカ１０６Ｌとスピーカ１０７Ｌ、およびスピーカ１０６Ｒとスピーカ１０７Ｒと同様に平行部１０９ａおよび傾斜部１０９ｂを一体的に備えたエンクロージャー型に形成してもよいことは当然である。
【００６７】
そして、スピーカ２０１Ｌ，２０１Ｒ，２０２Ｌ，２０２Ｒ、スピーカ２１１Ｌ，２１１Ｒ，２１２Ｌ，２１２Ｒおよびスピーカ２１３Ｌ，２１３Ｒは、各スピーカ間において相対的に低音側のスピーカが高音側のスピーカよりも聴者Ｕに近い側に配置されているともに、左側強クロストーク音信号および右側強クロストーク音信号をそれぞれ出力するスピーカが左側弱クロストーク音信号および右側弱クロストーク音信号をそれぞれ出力するスピーカよりも聴者Ｕに近い側に配置されている。
【００６８】
具体的には、重低音帯域の左側強クロストーク音信号および右側強クロストーク音信号をそれぞれ出力するスピーカ２１３Ｌ，２１３Ｒが最も聴者Ｕに近い位置に配置されている。そして、このスピーカ２１３Ｌ，２１３Ｒの後方に中低音帯域および高音帯域の左側強クロストーク音信号および右側強クロストーク音信号をそれぞれ出力するスピーカ２１１Ｌ，２１１Ｒ，２１２Ｌ，２１２Ｒが配置されるとともに、これらのスピーカ２１１Ｌ，２１１Ｒ，２１２Ｌ，２１２Ｒの後方に中低音帯域および高音帯域の左側弱クロストーク音信号および右側弱クロストーク音信号をそれぞれ出力するスピーカ２０１Ｌ，２０１Ｒ，２０２Ｌ，２０２Ｒが配置されている。左側弱クロストーク非可聴音信号および右側弱クロストーク非可聴音信号それぞれ出力するスピーカ１１２Ｌ，１１２Ｒは、スピーカ２１１Ｌ，２１１Ｒ，２１２Ｌ，２１２Ｒとスピーカ２０１Ｌ，２０１Ｒ，２０２Ｌ，２０２Ｒとの間に配置されている。
【００６９】
この場合、スピーカ１１２Ｌ，１１２Ｒ、スピーカ２０１Ｌ，２０１Ｒ，２０２Ｌ，２０２Ｒおよびスピーカ２１１Ｌ，２１１Ｒ，２１２Ｌ，２１２Ｒは、スタンド３００上に載置されている。スタンド３００は、上下方向に互いに異なる高さ位置でスピーカを支持するキャスタ付きの載置台である。この場合、スタンド３００は、最下段に対して中段および最上段が後方（図示右側）にずれて配置されている。また、このスタンド３００は、左右のスピーカごとにそれぞれ設けられている。このスタンド３００は、最下段にスピーカ２１１Ｌ，２１１Ｒ，２１２Ｌ，２１２Ｒを支持しており、中段にスピーカ１１２Ｌ，１１２Ｒを支持しており、最上段にスピーカ２０１Ｌ，２０１Ｒ，２０２Ｌ，２０２Ｒを支持している。また、重低音帯域の左側強クロストーク音信号および右側強クロストーク音信号をそれぞれ出力するスピーカ２１３Ｌ，２１３Ｒは、左側のスピーカ１１２Ｌ、スピーカ２０１Ｌ，２０２Ｌ、スピーカ２１１Ｌ，２１２Ｌと、右側のスピーカ１１２Ｒ、スピーカ２０１Ｒ，２０２Ｒ、スピーカ２１１Ｒ，２１２Ｒとの間（好ましくは中間部分）に配置されている。
【００７０】
（音響再生システム２００の作動）
次に、上記のように構成した音響再生システム２００の作動について説明する。この音響再生システム２００を用いて音楽（歌唱や演奏）を聞く聴者Ｕは、上記第１実施形態と同様に、音響再生システム２００の電源をＯＮにした後、クロストーク調節器１２１ａ，１２２ａを操作することによってクロストーク部Ｌ１２１およびクロストーク部１２２における各減衰回路の減衰率を設定する。そして、聴者Ｕは、音源再生装置１０１内に原音記録媒体１０１ａをセットして再生させる。
【００７１】
これにより、スピーカ２０１Ｌ，２０１Ｒ、２０２Ｌ，２０２Ｒは、原音記録媒体１０１ａに記録された左側原音信号および右側原音信号からそれぞれ抽出された各可聴音成分を相互に僅かにクロストークさせた弱クロストーク可聴再生音を高音および中低音の各周波数帯域ごとに聴者Ｕに向けてそれぞれ出力する（本発明に係る音波出力ステップ）。
【００７２】
また、スピーカ１１２Ｌ，１１２Ｒは、原音記録媒体１０１ａに記録された左側原音信号および右側原音信号からそれぞれ抽出された各非可聴音成分を相互に僅かにクロストークさせた各弱クロストーク非可聴再生音を聴者Ｕに向けてそれぞれ出力する（本発明に係る音波出力ステップ）。
【００７３】
また、スピーカ２１１Ｌ，２１１Ｒ、２１２Ｌ，２１２Ｒ、２１３Ｌ，２１３Ｒは、原音記録媒体１０１ａに記録された左側原音信号および右側原音信号からそれぞれ抽出された各可聴音成分を相互に前記弱クロストーク可聴再生音におけるクロストーク量よりも多くクロストークさせた強クロストーク可聴再生音を高音、中低音および重低音の各周波数帯域ごとに聴者Ｕに向けてそれぞれ出力する（本発明に係る音波出力ステップ）。
【００７４】
これにより、聴者Ｕは、クロストークを僅かに含んだ略原音に近い２チャンネルの弱クロストーク可聴再生音およびクロストークを僅かに含んだ略原音に近い弱クロストーク非可聴再生音とともにクロストークを明確に含む２チャンネルの強クロストーク可聴再生音をそれぞれ受けて音楽を聴くことができる。
【００７５】
上記作動説明からも理解できるように、上記第２実施形態によれば、音響再生システム２００は、聴者Ｕに対して略原音に近い２チャンネルの弱クロストーク可聴再生音、略原音に近い弱クロストーク非可聴再生音、クロストークを明確に含む２チャンネルの強クロストーク可聴再生音の３種類の音波をそれぞれスピーカを介して出力している。これにより、本発明者らの実験によれば、聴者に対して従来の音響再生システムに比べてコンサートやライブなどでの音楽情報を高い再現性で再生して臨場感を向上させることができることを確認した。
【００７６】
さらに、本発明の実施にあたっては、上記実施形態に限定されるものではなく、本発明の目的を逸脱しない限りにおいて種々の変更が可能である。なお、以下で説明する各変形例においては、上記実施形態と同様の構成部分に同じ符号を付して説明は適宜省略する。
【００７７】
例えば、上記各実施形態においては、音響再生システム１００，２００は、非可聴音についてクロストークさせた弱クロストーク非可聴再生音および／または強クロストーク非可聴再生音を出力するように構成した。しかし、音響再生システム１００，２００は、非可聴音については、必ずしもクロストークさせる必要はなく、クロストークを含まない原音のまま出力するように構成してもよい。
【００７８】
また、上記各実施形態においては、クロストーク部Ｌ１０２ａおよびクロストーク部Ｒ１０２ｂは、左側原音信号および右側原音信号の各３０分の１を右側原音信号および左側原音信号にクロストークさせるように構成した。すなわち、クロストーク部Ｌ１０２ａおよびクロストーク部Ｒ１０２ｂが本発明に係る弱クロストーク部に相当する。このクロストーク部Ｌ１０２ａおよびクロストーク部Ｒ１０２ｂは、加える側の信号量を加えられる側の信号量に対して電圧比で０を超え３０分の１以下の量で加えるようにすればよい。
【００７９】
また、上記各実施形態においては、クロストーク部Ｌ１２１およびクロストーク部Ｒ１２２は、左側原音信号および右側原音信号の各２分の１を右側原音信号および左側原音信号にクロストークさせるように構成した。すなわち、クロストーク部Ｌ１２１およびクロストーク部Ｒ１２２が本発明に係る強クロストーク部に相当する。このクロストーク部Ｌ１２１およびクロストーク部Ｒ１２２は、少なくとも左側原音信号および右側原音信号の各３０分の１を超える左側原音信号および右側原音信号を右側原音信号および左側原音信号にクロストークさせるように構成すればよい。
【００８０】
また、上記実施形態においては、音響再生システム１００，２００は、弱クロストーク可聴再生音および強クロストーク可聴再生音をそれぞれ３または２つの周波数帯域ごとに出力するために各３つずつまたは各２つずつのスピーカをそれぞれ備えて構成した。しかし、音響再生システム１００，２００は、弱クロストーク可聴再生音および強クロストーク可聴再生音を１つの周波数帯域のスピーカ、すなわち、フルレンジのスピーカで構成することもできる。
【００８１】
また、上記各実施形態においては、音源再生装置１０１は、非可聴音を表す左側非可聴音信号および右側非可聴音信号を含んだ左側原音信号および右側原音信号をそれぞれ出力するように構成した。すなわち、原音記録媒体１０１ａには、非可聴音が人の左右方向にそれぞれ対応した２チャンネルで記録されている。しかし、音源再生装置１０１は、少なくとも、可聴音を２チャンネルで表した左側原音信号および右側原音信号と、非可聴音を１チャンネルで表した非可聴音信号とをそれぞれ出力するように構成されていればよい。したがって、音響再生システム１００は、非可聴音については、１つのスピーカからのみ出力するように構成することもできる。なお、音源再生装置１０１は、可聴音のみを出力する音源再生装置１０１および非可聴音のみを出力する音源再生装置１０１の２つの別体の機器で構成することもできる。
【００８２】
また、上記実施形態においては、プリアンプ１２０は、クロストーク部Ｌ１２１、クロストーク部Ｒ１２２およびクロストーク調節器１２１ａ，１２２ａを備えて構成した。これにより、プリアンプ１２０は、左側原音信号および右側原音信号を用いて所望のクロストーク量で左側クロストーク音信号および右側クロストーク音信号を生成することができる。しかし、クロストーク部Ｌ１２１およびクロストーク部Ｒ１２２は、必ずしも積極的に左側クロストーク音信号および右側クロストーク音信号を生成させる回路として構成する必要はない。すなわち、クロストーク部Ｌ１２１およびクロストーク部Ｒ１２２は、左側原音信号と右側原音信号とが互いに干渉し合ってクロストークを受けるように構成されていればよい。したがって、例えば、プリアンプ１２０における左側原音信号を増幅する増幅回路と右側原音信号を増幅する増幅回路とを互いに近接配置することによって互いの増幅回路が電気的または磁気的に干渉し合って左側クロストーク音信号および右側クロストーク音信号が生成されるように構成することもできる。
【００８３】
また、クロストーク部Ｌ１２１およびクロストーク部Ｒ１２２は、クロストーク調節器１２１ａ，１２２ａを備えてクロストーク量を可変できるように構成する他に、クロストーク量（換言すれば、減衰回路の減衰率）が所定の値に固定的に設定されていてもよい。この場合、クロストーク部Ｌ１２１およびクロストーク部Ｒ１２２に固定的に設定するクロストーク量は、元となる左側原音信号および右側原音信号に対して電圧比で少なくとも３０分の１を超える量、好適には１０％以上かつ８０％以下、より好適には、３０％以上かつ６０％以下、さらに好適には４０％以上かつ５０％以下の範囲で設定するとよい。
【００８４】
また、上記実施形態においては、音源再生装置１０１は、原音記録媒体１０１ａを再生する機器で構成した。しかし、音源再生装置１０１は、人が耳で聴くことができる可聴音以上の周波数で人が耳で聴くことができない非可聴音を表す非可聴音信号と人が耳で聴くことができる可聴音を含んで人の左右の耳に対応した２チャンネルで表した左側原音信号および右側原音信号とをそれぞれ出力するように構成されていればよい。
【００８５】
したがって、音響再生システム１００，２００は、例えば、コンサートやライブの会場に設置した２チャンネル分のマイクなどの集音装置からなる音源再生装置１０１を有線または無線（例えば、インターネットや無線電話回線）からなる伝送線（図示せず）を介してプリアンプ１０２およびプリアンプ１２０にそれぞれ接続して構成することができる。これによれば、音響再生システム１００，２００は、コンサート会場やライブ会場の音楽情報をリアルタイムで、または音楽情報を図示しない記憶装置に記憶しておくことで聴者Ｕの好みのタイミングで再生することにより会場以外の場所や部屋で会場の音場を再現することができる。
【符号の説明】
【００８６】
Ｕ…聴者、
１００…音響再生システム、
１０１…音源再生装置、１０１ａ…原音記録媒体、１０２…プリアンプ、１０２ａ…クロストーク部Ｌ、１０２ｂ…クロストーク部Ｒ、１０３…アクティブフィルタアンプ、１０４ａ〜１０４ｃ…パワーアンプ、１０５Ｌ，１０５Ｒ，１０６Ｌ，１０６Ｒ，１０７Ｌ，１０７Ｒ…スピーカ、１０８ａ，１０８ｂ…スピーカ本体、１０９…エンクロージャー、１０９ａ…平行部、１０９ｂ…傾斜部、１０９ｃ…補強板、
１１０…パワーアンプ、１１１…ハイパスフィルタ、１１２Ｌ，１１２Ｒ…スピーカ、
１２０…プリアンプ、１２１…クロストーク部Ｌ、１２２…クロストーク部Ｒ、１２１ａ，１２２ａ…クロストーク量調節器、１２３…パワーアンプ、１２４Ｌ，１２４Ｒ，１２５Ｌ，１２５Ｒ，１２６Ｌ，１２６Ｒ、１２７Ｌ，１２７Ｒ…スピーカ、１２８…ネットワーク、
２００…音響再生システム、
２０１Ｌ，２０１Ｒ，２０２Ｌ，２０２Ｒ，２１１Ｌ，２１１Ｒ，２１２Ｌ，２１２Ｒ，２１３Ｌ，２１３Ｒ…スピーカ、
３００…スタンド。
【図１】
2019193029.tif 000003
【図２】
2019193029.tif 000004
【図３】
2019193029.tif 000005
【図４】
2019193029.tif 000006
【図５】
2019193029.tif 000007
【図６】
2019193029.tif 000008